(57)【特許請求の範囲】
【請求項１】
二次巻線および三次巻線がそれぞれデルタ結線された３相３巻線トランスを備え、
前記３相３巻線トランスの二次巻線と三次巻線のそれぞれ同一相同士の各相巻線の中性点を互いに接続し、
さらに、自己消弧能力を持つスイッチング素子を直列に２個接続したレグとコンデンサとを並列に接続して単位ユニットとし、前記単位ユニットを直列に接続した正側および負側の単位アームを備え、
前記正側の単位アームは、一端を直流電源の正側に接続し、他の一端を前記３相３巻線トランスの二次巻線の各相出力端に接続し、
前記負側の単位アームは、一端を直流電源の負側に接続し、他の一端を前記３相３巻線トランスの三次巻線の各相出力端に接続したことを特徴とする電力変換装置。
【請求項２】
前記３相３巻線トランスの一次巻線の相ごとにトランス鉄心を分割し、二次巻線と三次巻線を一つの鉄心に巻きつけたことを特徴とする請求項１に記載の電力変換装置。
【発明の詳細な説明】
【技術分野】
【０００１】
本発明の実施形態は、交流と直流との間で相互に電力を変換する電力変換装置に関するものである。
【背景技術】
【０００２】
近年、海底ケーブル等、大規模な直流送電の必要性が増大しており、電力変換装置のニーズが高まっている。このような電力変換装置としては、電力系統の交流を直流に変換するコンバータには３相２レベルコンバータが適用され、直流を交流に変換してモータ駆動に用いるインバータには３相２レベルインバータが適用されている。
【０００３】
これら３相２レベルの電力変換装置は、３相交流と直流との間で相互に電力を変換する上で必要となる半導体スイッチング素子を、最小限となる６個で構成することが可能である。したがって、３相２レベルの電力変換装置では小型化および低コスト化を図ることができる。このため、３相２レベルの電力変換装置には大きな期待が寄せられており、さらなる性能の向上が求められている。
【０００４】
３相２レベルの電力変換装置の制御方法としては、パルス幅の制御により出力電圧の大きさを制御するＰＷＭ制御が一般的である。具体的には３相２レベルインバータの場合、入力される直流電圧をＶｄｃとしたとき、相ごとに、所定のタイミングで＋Ｖｄｃ／２と、−Ｖｄｃ／２の２値の切替えを、ＰＷＭ（パルス幅変調）で行う。これにより、３相２レベルインバータからの出力波形を、擬似的に生成された交流の波形とすることができる。
【０００５】
一般に、従来の電力変換装置では、３相交流出力に高調波を吸収するフィルタが挿入されている。これは、直流送電などの電力系統接続機器においては、スイッチングによって発生するひずみ波に含まれる高調波成分を低減することが要請されているからである。特に、高耐圧のスイッチング周波数を使用する高電圧モータドライブ等では、ＰＷＭスイッチング周波数を高くできないので、高調波吸収用のフィルタが不可欠となっている。
【０００６】
このようなフィルタは通常、高調波成分を抑制するリアクトルやコンデンサ等で構成されるが、電力系統に流れ出す高調波成分を、他の機器に悪影響を及ぼさないレベルにまで低減させる責務がある。そのため、高調波抑制用のリアクトルやコンデンサは容量が大きく、高価であり、重量も重いものが多かった。したがって、高調波を吸収するフィルタを挿入することにより、電力変換装置のコスト向上や重量増加といった不具合を招いていた。
【０００７】
そこで、上記のフィルタを不要とする技術として、非特許文献２に記載の回路方式等が発表されている。例えば図９に示した回路構成では、従来一般的に用いられているトランスでの電圧降圧なしに、電力系統および配電系統電圧に対し電力変換装置を直接接続することができる。なお、図９において、符号Ｕｐ、Ｖｐ、Ｗｐは正側の単位アーム、Ｕｎ、Ｖｎ、Ｗｎは負側の単位アームであり、単位アームとはチョッパブリッジ単位変換器等からなる単位ユニットを構成要素とする。
【０００８】
図９に示したトランスを有する電力変換装置によれば、出力電圧および電流波形が多レベル化により正弦波に近づくため、高調波を吸収するためのフィルタが不要になり、低コスト化および軽量化といったメリットを享受することができる。しかも、図９の回路構成を実現することで、トランスの構成を容易に簡略化することができる。トランスは重量および体積が大きく、またシステム全体に占めるコストも比較的大きいので、その簡略化を進めることにより、安価で小型の電力変換装置を得ることができる。
【０００９】
図９に示した電力変換装置では、スイッチングに応じて電圧出力の有無を切り替える電圧源として、スイッチング素子に並列に接続した直流コンデンサを備えている。この直流コンデンサは電圧値を常に一定に制御するためのものなので、原理的に直流電源を還流させる還流電流を常時流すことが必要であり、各相に充放電のための短絡経路を設けている。
【００１０】
しかし、３相用の電力変換装置では３相を同一の直流電源に接続しているので、各相の直流電圧合成値がわずかでも異なると、相間に過大な短絡電流が流れてしまい、機器に悪影響を与える可能性がある。また、仮に各相の直流電圧合成値の平均値が一致したとしても、オンオフのタイミングや周期が異なれば、やはり過大な短絡電流が流れることになる。
【００１１】
そこで、相間に流れる過大な短絡電流に対処するために、バッファリアクトルのような大型のリアクトルを各相に挿入して、短絡電流に制限を加えることが考えられる。しかしながら、バッファリアクトル等のリアクトルは大型であり、高価であった。
【００１２】
すなわち、図９に示した従来技術では、高調波を吸収するフィルタは不要になるものの、バッファリアクトル等、大型のリアクトルの挿入を余儀なくされる。このため、電力変換装置は大きくなり、且つコストも上昇した。その結果、前記フィルタを無くしたことによるメリットが、バッファリアクトル挿入によるデメリットによって相殺されてしまい、安価で小型の電力変換装置の実現が困難となっていた。
【００１３】
そこで、過大な短絡電流に対処するためのリアクトルを無くす方式として、図８に示すような電力変換装置が提案されている。図８の回路構成を持つ電力変換装置では、二次巻線および三次巻線をスター巻線で構成されるトランスとし、二次巻線および三次巻線の中性点を接続している。このようなトランスを備えた電力変換装置によれば、バッファリアクトルを挿入することなく、過大な短絡電流の発生を抑えることができる。したがって、大型で高価なリアクトルを無くしつつ、高調波吸収用のフィルタなしに低高調波の電圧電流波形を出力することが可能であり、装置の低コスト化および小型化を図ることができる。
【先行技術文献】
【特許文献】
【００１４】
【特許文献１】特開２０１３−１１５８３７号公報
【非特許文献】
【００１５】
【非特許文献１】2009年cigre論文予稿集Paper４０１(Multilevel Voltage-Sourced Converters for HVDC and FACTS Applications：Siemens AG)
【発明の概要】
【発明が解決しようとする課題】
【００１６】
ところで、電力変換装置では、３次高調波電流等の高調波電流が意図せずに出力されることがある。高調波電流は、電力変換装置に組み込まれたトランスの励磁電流となり、正弦波電圧である系統電圧をひずませる要因となる。したがって電力変換装置においては、高調波を吸収するフィルタや大型のリアクトルをなくすことに加えて、高調波電流の出力を抑えることが強く望まれている。
【００１７】
本発明の実施形態は、以上の課題を解決するために提案されたものであり、二次巻線および三次巻線がそれぞれデルタ結線されたトランスを備えることにより、意図せず出力される高調波電流の発生を抑えて、電力系統の電圧の歪みを誘発させる懸念のない、高い信頼性を発揮することができる電力変換装置を提供することを目的とする。
【課題を解決するための手段】
【００１８】
上記のような課題を解決するため、本実施形態の電力変換装置は、以下の構成を有することを特徴としている。
(1) 二次巻線および三次巻線がそれぞれデルタ結線された３相３巻線トランスを備える。
(2)前記３相３巻線トランスの二次巻線と三次巻線のそれぞれ同一相同士の各相巻線の中性点を互いに接続する。
(3)さらに、自己消弧能力を持つスイッチング素子を直列に２個接続したレグとコンデンサとを並列に接続して単位ユニットとし、前記単位ユニットを直列に接続した正側および負側の単位アームを備える。
(4)前記正側の単位アームは、一端を直流電源の正側に接続し、他の一端を前記３相３巻線トランスの二次巻線の各相出力端に接続する。
(5)前記負側の単位アームは、一端を直流電源の負側に接続し、他の一端を前記３相３巻線トランスの三次巻線の各相出力端に接続する。
【図面の簡単な説明】
【００１９】
【図１】第１の実施形態の回路構成図。
【図２】第１の実施形態の単位ユニットを示す回路構成図。
【図３】第１の実施形態のトランスの巻線構成を示す回路構成図。
【図４】第１の実施形態のトランスと単位アームと直流電源との接続関係を示す回路構成図。
【図５】第１の実施形態の一相を簡略に示した回路構成図。
【図６】（Ａ）は正側の単位ユニットの電圧波形図、（Ｂ）は負側の単位ユニットの電圧波形図、（Ｃ）はトランスの二次巻線の電圧波形図、（Ｄ）はトランス三次巻線の電圧波形図、（Ｅ）はトランスの出力電圧波形図。
【図７】他の実施形態のトランスの巻線構成を示す回路構成図。
【図８】従来の電力変換装置の回路構成図。
【図９】従来の電力変換装置の回路構成図。
【発明を実施するための形態】
【００２０】
［１]第１の実施形態
［構成］
第１の実施形態の構成について図１〜図６を参照して説明する。図１〜図５は第１の実施形態の回路構成図、図６は第１の実施形態の電圧波形図である。第１の実施形態は、３相の交流系統と直流系統との間に接続され、絶縁トランスである３相３巻線トランスＡを介して、３相５０Ｈｚの電源を直流に電力変換する電力変換装置である。
【００２１】
図１に示すように、第１の実施形態には、３相３巻線トランスＡと、直流電源Ｂと、２つの単位ユニットＣを直列に接続した正側の単位アームＵｐ、Ｖｐ、Ｗｐおよび負側の単位アームＵｎ、Ｖｎ、Ｗｎが設けられている。図１の例では、単位ユニットＣを２個としたが、１個以上であれば、設置数はいくつでもよい。
【００２２】
（単位アーム）
まず、単位アームについて説明する。図１に示すように、第１の実施形態では６個の単位アームが設けられている。正側の単位アームＵｐ、Ｖｐ、Ｗｐと、負側の単位アームＵｎ、Ｖｎ、Ｗｎがそれぞれ３本ずつ設けられている。正側の単位アームＵｐ、Ｖｐ、Ｗｐについては、一端が直流電源Ｂの正側に接続され、他の一端が３相３巻線トランスＡの二次巻線の各相出力端に接続される。負側の単位アームＵｎ、Ｖｎ、Ｗｎについては、一端が直流電源Ｂの負側に接続され、他の一端が３相３巻線トランスＡの三次巻線の各相出力端に接続される。
【００２３】
（単位ユニット）
単位アームＵｐ、Ｖｐ、Ｗｐ、Ｕｎ、Ｖｎ、Ｗｎを構成する単位ユニットＣについて、図２の回路図を用いて説明する。単位ユニットＣはチョッパブリッジ単位変換器からなり、図２に示すように、レグ２０（点線にて示す）とコンデンサ３０が並列に接続されている。レグ２０には自己消弧能力を持つスイッチング素子２１Ｕ、２１Ｘが直列に接続されている。これらのスイッチング素子２１Ｕ、２１Ｘには、定格が６５００Ｖ程度のＩＧＢТが用いられており、逆並列に還流ダイオード２２Ｕ、２２Ｘが接続されている。
【００２４】
（３相３巻線トランス）
図１に示すように、３相３巻線トランスＡは、一次巻線がスター結線され、５０Ｈｚ電源の３相、つまりＲ相、Ｓ相、Ｔ相に接続される。また、３相３巻線トランスＡは、二次巻線と三次巻線がそれぞれデルタ結線されている。
【００２５】
３相３巻線トランスＡは、一次巻線の相ごとにトランス鉄心を分割し、二次巻線の鉄心と三次巻線の鉄心を別々にした構成となっている。また、一次巻線と二次巻線との間の巻線比は１:１である。３相３巻線トランスＡは、各相で正側と負側に分けて設けられている。各巻線に示した黒点が付いている側が正側である。
【００２６】
３相３巻線トランスＡにおいて、二次巻線と三次巻線のそれぞれの各相巻線の中性点は、同一相同士が互いに接続されている。すなわち、二次巻線のＲ相中性点NP_R2と三次巻線のＲ相中性点NP_R3とが接続され、二次巻線のＳ相中性点NP_S2と三次巻線のＳ相中性点NP_S3とが接続され、二次巻線のＴ相中性点NP_T2と三次巻線のＴ相中性点NP_T3とが接続されている。
【００２７】
（各部の接続関係）
図３では、３相３巻線トランスＡのデルタ結線構造を分けて巻線構成を示している。二次巻線と三次巻線がそれぞれデルタ結線されているので、各単位アームは３相３巻線トランスＡの２つの巻線と接続される。すなわち、正側の単位アームＵｐ、Ｖｐ、Ｗｐは二次巻線側に接続されており、より詳しくは、単位アームＵｐは巻線Ｒｐ１と巻線Ｔｐ２と接続され、単位アームＶｐは巻線Ｓｐ１と巻線Ｒｐ２と接続され、単位アームＷｐは巻線Ｔｐ１と巻線Ｓｐ２と接続されている。
【００２８】
また、負側の単位アームＵｎ、Ｖｎ、Ｗｎは三次巻線側に接続されており、より詳しくは、単位アームＵｎは巻線Ｒｎ１と巻線Ｔｎ２と接続され、単位アームＶｎは巻線Ｓｎ１と巻線Ｒｎ２と接続され、単位アームＷｎは巻線Ｔｎ１と巻線Ｓｎ２と接続されている。
【００２９】
図４では、このような３相３巻線トランスＡと単位アームＵｐ、Ｖｐ、Ｗｐ、Ｕｎ、Ｖｎ、Ｗｎと直流電源Ｂとの接続関係を示している。正側の各相の単位アームＵｐ、Ｖｐ、Ｗｐの一端は、それぞれ直流電源Ｂの正側に接続されている。また、負側の各相の単位アームＵｎ、Ｖｎ、Ｗｎの一端は、それぞれ直流電源Ｂの負側に接続されている。
【００３０】
［作用］
（高調波の抑制）
半導体素子によるスイッチングにおいては、ひずみ波が発生し、このひずみ波に含まれる高調波成分が機器に影響を与えることが知られている。先に述べたように、この高調波成分に対処するため、発生した高調波を吸収するフィルタを挿入することが考えられていた。
【００３１】
高調波吸収用のフィルタは高調波成分を抑制するリアクトルやコンデンサから構成できるが、電力系統に流れ出す高調波成分を他の機器に影響を及ぼさないレベルまで低減させなくてはならない。そのため、大きな容量を持つフィルタが必要となり、大型化などの不具合を招いていた。
【００３２】
そこで第１の実施形態においては、単位ユニットＣを直列に多段に接続したマルチレベルの電力変換装置を構成している。これにより、第１の実施形態の出力波形を、より正弦波に近づけることができる。したがって、高調波を吸収するフィルタを設けることなく、高調波成分を他の機器に影響を及ぼさないレベルにまで、高調波を確実に抑制することができる。
【００３３】
しかも、第１の実施形態では、３相３巻線トランスＡにおいて、二次巻線、三次巻線がそれぞれデルタ結線構成となっている。そして、二次巻線と三次巻線のそれぞれ同一相同士の各相巻線の中性点を、二次巻線と三次巻線とで互いに接続している。このため、意図せず出力される高調波電流の発生を原理的に抑えることができる。したがって、高調波電流が３相３巻線トランスＡの励磁電流となって系統電圧をひずませる心配がない。
【００３４】
（交流電圧出力動作）
本実施形態による交流波形の出力動作について、図５および図６を用いて説明する。図５においては、単位アームは２個の単位ユニットＣで構成された場合である。直流電源Ｂの中性点を接地点として電圧基準として、接地点からみた交流出力点の電圧をＶｕとする。
【００３５】
Ｖｕは、５０Ｈｚ交流電源Ｒ，Ｓ，Ｔ相電圧をデルタスター変換したときの３相交流電圧Ｖｕ、Ｖｖ，Ｖｗであり、このデルタスター変換は、一般的な交流理論で既存の技術であるからここでは説明を省略する。直流電源Ｂの正負それぞれの電圧をＶｄｃ、単位ユニットＣのコンデンサ電圧をＶｃとし、正側電源側に接続される単位ユニットＣの出力電圧をＶｕＰ、負側電源側に接続される単位ユニットＣの出力電圧をＶｕＮとする。また、上位のシステムで演算される出力したい交流電圧指令をＶｕＲｅｆとする。
【００３６】
（数１）
正側単位ユニットＶｕＰ＝Ｖｄｃ−ＶｕＲｅｆ
このＶｕＰの電圧波形を、図６（Ａ）に示す。また、３相３巻線トランスＡにおける二次巻線の電圧Ｖｕ２の波形を、図６（Ｃ）に示す。
【００３７】
この時、出力電圧Ｖｕは以下のように出力される。
（数２）
Ｖｕ＝Ｖｄｃ−ＶｕＰ＝Ｖｄｃ−（Ｖｄｃ−ＶｕＲｅｆ）＝ＶｕＲｅｆ
【００３８】
（数３）
負側単位ユニットＶｕＮ＝Ｖｄｃ−ＶｕＲｅｆ
このＶｕＮの電圧波形を、図６（Ｂ）に示す。また、３相３巻線トランスＡにおける三次巻線の電圧Ｖｕ３の波形を、図６（Ｄ）に示す。
【００３９】
この時、出力電圧Ｖｕは以下のように出力される。
（数４）
Ｖｕ＝−Ｖｄｃ＋ＶｕＮ＝−Ｖｄｃ＋（Ｖｄｃ―ＶｕＲｅｆ）＝−ＶｕＲｅｆ
３相３巻線トランスＡにおいて、二次巻線は減極性、三次巻線は加極性となっているので、図６（Ｅ）に示すような電圧Ｖｔｒ１が出力される。
【００４０】
（直流充放電動作）
交流負荷電流Ｉｕは正側の単位ユニットＣと負側の単位ユニットＣとにそれぞれ流れる。この時、正側の単位ユニットＣのコンデンサ３０は、以下の式で表される電力ＰｏｗｅｒＰによって充放電がなされる。
（数５）
ＰｏｗｅｒＰ＝ＶｕＰ×Ｉｕ＝（Ｖｄｃ−ＶｕＲｅｆ）×Ｉｕ
【００４１】
出力電圧ＶｕＲｅｆと交流負荷電流Ｉｕが同位相すなわち力率１がで動作している場合について計算すると、交流一周期でのＰｏｗｅｒＰの平均値はマイナスとなる。すなわち、上記の動作モードのみで出力電圧制御を行うと、正側の単位ユニットＣのコンデンサ電圧平均値は一定に保つことができず、運転継続ができない。同様に、負側の単位ユニットＣのコンデンサ電圧も、力率が１で動作している時のＰｏｗｅｒＮは、交流一周期での平均値がプラスとなり、負側の単位ユニットＣのコンデンサ電圧平均値を一定に保つことができずに、運転を継続することができない。
【００４２】
この問題を解決すべく第１の実施形態では、直流電源Ｂの正側から、正側の単位ユニットＣ、３相３巻線トランスＡ、負側の単位ユニットＣを経て、直流電源Ｂの負側に至るという経路で、直流で充放電電流を流している。これによりコンデンサ電圧の平均値を一定にすることができる。
【００４３】
具体的には、以下の式により、直流コンデンサ電圧平均値の一定制御補正値ΔＶfcControlを演算し、正側の単位ユニットＣの出力電圧指令ＶｕＰ、ＶｕＮを補正出力する。
（数６）
ΔＶfcControl＝G(s)×(VCref−VCu_AVE)
VCrefは、単位ユニットコンデンサ電圧指令値で、あらかじめ設定された値。
VCu_AVEは、U相正負全単位ユニットのコンデンサ電圧平均値。
G(s)は制御ゲインで、ｓはラプラス演算子。比例積分制御が適する。
このような動作は従来技術と同様であるが、従来技術では、直流循環電流の急増を防止するためのバッファリアクトルなどの大型のリアクトルを特別に設置する必要があった。
【００４４】
（漏れインダクタンスの利用）
これに対して、第１の実施形態における回路方式では、直流循環電流の経路の中に、絶縁トランスとしての３相３巻線トランスＡが組み込まれている。そのため、このトランスＡの漏れインダクタンス成分によって直流循環電流の急増が原理的に発生しない。通常、実際のトランスには、磁気漏れによる漏れ磁束が必ず存在する。この漏れ磁束は、変圧作用に寄与せずに、一次巻線及び二次巻線の漏れインダクタンスとして働く。
【００４５】
つまり、第１の実施形態においては、直流循環電流が流れる際に、絶縁トランスである３相３巻線トランスＡが直流循環電流の経路に含まれているため、３相３巻線トランスＡの漏れインダクタンス成分を、リアクトルとして機能させることができる。これにより、直流循環電流の急増を抑制することが可能となり、バッファリアクトル等の高コストで大型のリアクトルが不要となる。
【００４６】
［効果］
以上述べたように、第１の実施形態によれば、高調波吸収用のフィルタなしに低高調波の電圧電流波形を出力することができる。また、バッファリアクトルのような高コストで大型のリアクトルを設置すること無しに、直流循環電流の急増を抑えて単位ユニットＣのコンデンサ電圧の平均値を一定に制御することが可能になる。したがって、高調波吸収用のフィルタや高コストで大型のリアクトルを省くことができ、安価で小型な電力変換装置を提供することができる。
【００４７】
さらに、第１の実施形態では、３相３巻線トランスＡの二次巻線および三次巻線をそれぞれデルタ結線構成とし、且つ二次巻線と三次巻線のそれぞれ同一相同士の各相巻線の中性点を、互いに接続している。したがって、意図せず出力されてしまう高調波電流の発生を抑えることができる。その結果、高調波電流が３相３巻線トランスＡの励磁電流とならず、系統電圧は正弦波電圧を維持することができ、ひずんだ電圧となる懸念がない。これにより、安価で小型であることに加えて、高い信頼性を持つ電力変換装置を提供することが可能になる。
【００４８】
［２］他の実施形態
本発明の実施形態は、上記の形態には限定されない。
（１）例えば、図７に示すように、３相３巻線トランスＡ’は、一次巻線の相ごとにトランス鉄心を分割し、二次巻線と三次巻線を同一の鉄心に巻き付ける構成としてもよい。このような他の実施形態では、各相それぞれ二次巻線と三次巻線の鉄心を共通化するため、直流成分をキャンセルして、コンデンサの直流充放電電流による発生する直流磁束を、相互に打ち消し合うことが可能になる。このため、鉄心磁気飽和を防止して飽和磁束密度を小さくすることができ、トランス鉄心の更なる小型化が可能になる。
【００４９】
（２）３相３脚トランスＡの各脚に一次１巻線、二次１巻線、三次１巻線とした構成にするようにしてもよい。これにより、上記の実施形態と同様、各相直流磁束が相互に打ち消すことができる。さらには、３相３脚鉄心化による通常３相トランスと同様の小型化も達成することが可能になる。
【００５０】
（３）上記の実施形態は、同様の構成によって、直流から交流の変換を行うこともできるし、反対に交流から直流の変換を行うことができる。つまり、本実施形態の電力変換装置は、インバータとしてもコンバータとしても構成することができる。
【００５１】
（４）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
Ａ、Ａ’…３相３巻線トランス
Ｂ…直流電源
Ｃ…単位ユニット
Ｕｐ、Ｖｐ、Ｗｐ…正負側の単位アーム
Ｕｎ、Ｖｎ、Ｗｎ…正負側の単位アーム
２０…レグ
２１Ｕ、２１Ｘ…スイッチング素子
２２Ｕ、２２Ｘ…還流ダイオード
３０…コンデンサ
【図１】
0006470051.tif 000002
【図２】
0006470051.tif 000003
【図３】
0006470051.tif 000004
【図４】
0006470051.tif 000005
【図５】
0006470051.tif 000006
【図６】
0006470051.tif 000007
【図７】
0006470051.tif 000008
【図８】
0006470051.tif 000009
【図９】
0006470051.tif 000010